(57)【要約】【課題】  無端状のベルト部材が片側に寄った状態で回転することなく、適切に加熱された無端状のベルトを常に安定した状態で円滑な回転ができるようにして、適切な定着作動ができる誘導加熱定着装置を提供すること。【解決手段】  誘導加熱定着装置において、第１のローラ部材は、励磁コイルと対向し、発熱領域を規制するための磁性部材を備えた軸体と、軸体の外周面を覆い、軸体を中心に回転する内筒と、内筒の外周に設けられ、無端ベルトの内面と接触するローラ部とからなり、ローラ部は、軸体の軸芯を中心とする同心円状に複数の分割体を並設し、分割体の各々を軸体の軸線方向の平行線に対してシーソー状に揺動可能となるように中間部が内筒の外周部分に取り付けられていること。【選択図】        図１
2005283983.tif 000002
【特許請求の範囲】
【請求項１】
無端ベルトと、前記無端ベルトの内周面に接触する第１のローラ部材と前記第１のローラ部材と対向する位置に設けられ、前記無端ベルトの内周面と接触して前記第１のローラ部材と共に前記無端ベルトを張架する第２のローラ部材と、前記第２のローラ部材と前記無端ベルトを介して対向し、前記無端ベルトの外周面と圧接する加圧部材と、前記無端ベルトを回転させる回転駆動機構と、前記無端ベルトを介して前記第１のローラ部材と対向し、前記無端ベルトから所定距離の位置に設けられた励磁コイル部材と、前記励磁コイルに交流電流を流すことで前記第１のローラ部材を発熱させて接触する前記無端ベルトを加熱し、加熱された前記無端ベルトと前記加圧部材とで転写材を挟持搬送して転写されたトナー像を定着する誘導加熱定着装置において、前記第１のローラ部材は、前記励磁コイルと対向し、発熱領域を規制するための磁性部材を備えた軸体と、前記軸体の外周面を覆い、前記軸体を中心に回転する内筒と、前記内筒の外周に設けられ、前記無端ベルトの内面と接触するローラ部とからなり、前記ローラ部は、前記軸体の軸芯を中心とする同心円状に複数の分割体を並設し、前記分割体の各々を前記軸体の軸線方向の平行線に対してシーソー状に揺動可能となるように中間部が前記内筒の外周部分に取り付けられていることを特徴とする誘導加熱定着装置。
【請求項２】
前記軸体は、軸線方向の長さ、及び／又は円周方向の幅が異なる前記磁性部材を前記軸体の円周方向に複数備えたことを特徴とする請求項１に記載の誘導加熱定着装置。
【請求項３】
前記軸体に設けられた複数の前記磁性体が、それぞれ所定の位置で前記励磁コイル部材に対向できるようにするために、前記軸体の位置を複数の位置に固定できる回転位置固定手段を備えたことを特徴とする請求項１又は請求項２に記載の誘導加熱定着装置。
【発明の詳細な説明】
【技術分野】
【０００１】
本発明は、複写機、プリンタ、ＦＡＸ等の画像形成装置の定着装置として用いられる、複数の発熱幅の異なる発熱領域を有する誘導加熱定着装置に関する。
【背景技術】
【０００２】
従来、例えば、電子写真方式の複写機、プリンタ、ＦＡＸ等の画像形成装置に用いられ、技術的な完成度が高く安定したものとして芯金上にゴム層を有し、発熱体としてハロゲンランプを用いたソフト熱ローラ定着方式が、低速機から高速機までのフルカラー機に幅広く採用されている。（特許文献１参照。）。
【０００３】
また、エネルギー効率や応答性の問題を解決した定着装置として、無端状のベルト部材を用いた定着装置（特許文献２参照。）が知られている。
【０００４】
また、加熱部材として励磁コイルを有するローラ状の電磁誘導定着用回転部材（磁性定着ローラ）を用い、瞬時加熱が可能な誘導加熱方式の誘導加熱定着装置（特許文献３参照。）が知られている。
【０００５】
一方、ベルト上の荷物の乗せ位置により張力が変化しベルトが左側または右側にに移動してしまい、機枠と擦れて耐久性を劣化させたり、円滑な案内回転や駆動伝達が行えなくなることに着目し、ローラを支軸の軸芯を中心とする同心円状に複数に分割した分割体をその同心円の周方向に並設すると共に、支軸の軸線方向にシーソー状に傾動できるようにして、コンベアベルトは直角に案内されようとするその習性通りに案内されて偏移することなく案内回転または駆動伝達することができるようにしたベルトコンベア用ローラ（特許文献４参照。）が提案されている。
【特許文献１】特開２００２−２６８４２１号公報
【特許文献２】特開２００３−２８７９７０号公報
【特許文献３】特開２００２−４９２６０号公報
【特許文献４】特許第２９００９１７号公報
【発明の開示】
【発明が解決しようとする課題】
【０００６】
しかしながら、画像形成装置に用いられる従来のソフト熱ローラ定着方式の定着装置では、転写材やトナーを加熱する際に、熱伝導率が悪く、且つ熱容量の大きな定着ローラ（加熱部材）を加熱する必要があるためエネルギー効果が悪く、省エネ面で不利であり、また、プリント時に定着装置を暖めるのに時間がかかりウォーミングアップ時間（ＷＵＴ）が長くなってしまうという応答性に問題がある。
【０００７】
また、無端状のベルト部材を用いた定着装置は、円筒面状の抵抗発熱体とベルトとの接触によって熱を伝えるため、効率よい、また応答性のよい熱伝達が可能であるが、ベルトが直接発熱部材との接触することになり、安全面で問題が生じる。
【０００８】
そこで、最近では、前述の無端状のベルト部材を用いた定着装置に安全な誘導加熱方式の加熱部材を用いて、よりエネルギー効率や応答性のよい誘導加熱定着装置が考えられるようになっている。
【０００９】
しかしながら、無端状のベルト部材を用いた場合には、例えば、無端状のベルト部材の幅方向の片側等に何らかの負荷がかかったときに、無端状のベルト部材を張架する加熱部材やローラ部材の正規の取付け位置に対して片側に寄って回転してしまい、円滑な回転ができなくなり、適切な定着作動が行えないことがあるという問題があった。
【００１０】
本発明は、上記問題に鑑み、特に、無端状のベルト部材が片側に寄った状態で回転することなく、適切に加熱された無端状のベルトを常に安定した状態で円滑な回転ができるようにして、適切な定着作動ができる誘導加熱定着装置を提供することを目的とする。
【課題を解決するための手段】
【００１１】
本発明は、誘導加熱定着装置を定着ベルトと接触する接触部材をローラ部材とし、ローラ部材に内包されるように設けられた軸体に発熱部を設けることで、適切に加熱された定着ベルトを安定して円滑に回転できるようにして、適切な定着作動ができるようにしたものである。
【００１２】
すなわち、本発明は、下記構成を採ることにより上記目的を達成できる。
【００１３】
（１）  無端ベルトと、前記無端ベルトの内周面に接触する第１のローラ部材と前記第１のローラ部材と対向する位置に設けられ、前記無端ベルトの内周面と接触して前記第１のローラ部材と共に前記無端ベルトを張架する第２のローラ部材と、前記第２のローラ部材と前記無端ベルトを介して対向し、前記無端ベルトの外周面と圧接する加圧部材と、前記無端ベルトを回転させる回転駆動機構と、前記無端ベルトを介して前記第１のローラ部材と対向し、前記無端ベルトから所定距離の位置に設けられた励磁コイル部材と、前記励磁コイルに交流電流を流すことで前記第１のローラ部材を発熱させて接触する前記無端ベルトを加熱し、加熱された前記無端ベルトと前記加圧部材とで転写材を挟持搬送して転写されたトナー像を定着する誘導加熱定着装置において、前記第１のローラ部材は、前記励磁コイルと対向し、発熱領域を規制するための磁性部材を備えた軸体と、前記軸体の外周面を覆い、前記軸体を中心に回転する内筒と、前記内筒の外周に設けられ、前記無端ベルトの内面と接触するローラ部とからなり、前記ローラ部は、前記軸体の軸芯を中心とする同心円状に複数の分割体を並設し、前記分割体の各々を前記軸体の軸線方向の平行線に対してシーソー状に揺動可能となるように中間部が前記内筒の外周部分に取り付けられていることを特徴とする誘導加熱定着装置。
【００１４】
（２）  前記軸体は、軸線方向の長さ、及び／又は円周方向の幅が異なる前記磁性部材を前記軸体の円周方向に複数備えたことを特徴とする前記（１）に記載の誘導加熱定着装置。
【００１５】
（３）  前記軸体に設けられた複数の前記磁性体が、それぞれ所定の位置で前記励磁コイル部材に対向できるようにするために、前記軸体の位置を複数の位置に固定できる回転位置固定手段を備えたことを特徴とする前記（１）又は前記（２）に記載の誘導加熱定着装置。
【発明の効果】
【００１６】
本発明は、第１のローラ部材が磁性部材を備えた軸体と、軸体を中心に回転する内筒と、無端ベルトの内面と接触するローラ部とで構成され、しかも、ローラ部が、複数の分割体の各々を前記軸体の軸線方向の平行線に対してシーソーのように揺動可能に構成されたので、定着ベルトが傾いても瞬時に復元し、常に安定した状態で円滑な回転を行い、適切な定着作動ができる誘導加熱定着装置を提供することができる。
【００１７】
また、軸体には、線方向の長さ、及び／又は円周方向の幅が異なる前記磁性部材を軸体の円周方向に複数備えたので、定着する転写材のサイズ等に応じて適切な加熱が行われ安定した定着を行うことができる。
【００１８】
また、回転位置固定手段を備えたことにより、軸体に設けられた複数の前記磁性体が所定の位置で励磁コイル部材に対向できるようにしたので、定着する転写材のサイズ等に応じて適切な加熱が行われ安定した定着を行うことができる。
【発明を実施するための最良の形態】
【００１９】
以下、図面を参照しながら本発明を詳細に説明するが、本発明はこれに限定されるものではない。なお、各図面において、同一符号のものは同一の物を示すものとし、適宜、関連する他の図面を参照して、詳細に説明するものとする。
【００２０】
図１は本発明に係る誘導加熱定着装置が用いられた画像形成装置の概要断面構成図、図２は本発明に係る第１のローラ部材を有する誘導加熱定着装置の概要断面図、図３は本発明に係る第１のローラ部材を示す概要断面図である。
【００２１】
図１により本発明に係る誘導加熱定着装置が用いられた画像形成装置について説明する。
【００２２】
本発明の実施の形態における画像形成装置、説明を簡単にするために電子写真方式の複写機とする。電子写真方式の複写機はよく知られているので、本発明と直接関わりのない部分に関しては簡単に説明する。
【００２３】
本発明の画像形成装置は、原稿の画像情報を読み取る読取手段としての画像読取装置（不図示）と、画像処理を行った後の画像データに基づき感光体ドラム（像担持体）１０上に像露光を行う露光装置（像露光手段）１２、感光体ドラム１０の周囲に設けられた、帯電極（帯電手段）１１、現像剤担持体を有する磁気ブラシ型現像装置からなる現像器（現像手段）１３、転写分離極（転写分離手段）１４、クリーニング装置（クリーニング手段）１９等により構成される画像形成手段と、転写材（記録紙ともいう。）Ｐ上のトナー像を溶融定着する誘導加熱定着装置１７とを有している。
【００２４】
画像形成装置において、まず、原稿の画像情報がページ単位の画像データとして画像読取装置により読み取られメモリに格納される。次に、矢印で示す時計方向に回転される感光体ドラム１０は、帯電極１１のコロナ放電作用により所定の表面電位を付与される。そして、ページ単位の画像形成作動に応じてメモリからページ単位で画像データが読み出され、読み出された画像データに基づいて、レーザ光学系等を用いた露光装置１２により感光体ドラム１０上に像露光が行われ、画像データに応じた静電潜像が形成される。
【００２５】
静電潜像は、現像器１３に設けられる現像剤担持体としての現像ローラ（符号なし）により、帯電極性と同極性（本実施形態においては現像に使用されるトナー極性をマイナス極性とし、帯電極性をマイナス極性とする）のトナー（トナー粉末）を用いて反転現像され、可視化されたトナー像とされる。
【００２６】
また図に示すように、現像器１３には、現像位置に対して感光体ドラム１０の回転方向上流側に、現像ウレタンシート１３ｂが設けられる。
【００２７】
一方、感光体ドラム１０上のトナー像の先端部が転写分離極１４の転写領域に到達する前に、給紙トレイ（不図示）内の転写材としての記録紙Ｐが、送り出しローラ（不図示）により給送されてレジストローラ１６に到達し、先端規制される。
【００２８】
記録紙Ｐは、トナー像、即ち感光体ドラム１０上の画像領域と重畳するように、同期を取って回転を開始するレジストローラ１６により、転写分離極１４の転写領域に向けて搬送される。
【００２９】
感光体ドラム１０上のトナー像は転写分離極１４の転写領域において、例えば転写コロナ放電により記録紙Ｐ上への転写が行われ、トナー像が転写された記録紙Ｐは転写分離極１４の分離コロナ放電による除電等により感光体ドラム１０から分離され、誘導加熱定着装置１７へと給紙搬送される。
【００３０】
誘導加熱定着装置１７は、詳細は後述するが、加熱部材としての励磁コイルＬＣＬａにより加熱される被加熱部材としての第１のローラ部材ＭＲと、第１のローラ部材ＭＲにより加熱される定着ベルト２７を張架するる張架ローラ１７ｃ（第２のローラ部材）と、定着ベルト２７をを介して圧接する加圧部材としての加圧ローラ４７ａとにより構成されており、定着ベルト２７をを介して張架ローラ１７ｃと加圧ローラ４７ａとの間で形成されるニップ部Ｎで、加圧と加熱とを加えることにより、トナー像が記録紙Ｐ上に溶融定着され、その後、記録紙Ｐは画像形成装置の外部に排紙されるようになっている。
【００３１】
転写後の感光体ドラム１０の周面上に残った転写残トナーは、例えば導電性ブラシを用いるクリーニングローラ１９１ｃと、クリーニング部材としてのクリーニングブレード１９１ａを備えるブレードユニット１９０とからなるクリーニング装置１９によりクリーニングされ、該クリーニング装置１９内に回収され、搬送スクリュー１９１ｈにより不図示のトナー回収容器に回収される。また、ブレードユニット１９０には交換用のクリーニング部材としてのクリーニングブレード１９１ｂが設けられる。
【００３２】
感光体ドラム１０上の転写残トナーがクリーニング装置１９により回収された後、画像形成装置は次の画像形成サイクルに入る。
【００３３】
なお、上記画像形成装置の説明においては、モノクロ画像形成にて説明したが、カラー画像を形成する場合も本発明に含まれるものである。
【００３４】
図２および図３により、誘導加熱定着装置１７の第１ローラ部材ＭＲの構成について説明する。図２は誘導加熱定着装置１７の全体を示し、図３は誘導加熱定着装置１７に用いられる第１のローラ部材ＭＲを示す概要断面図である。特に、図３の（イ）図は第１ローラ部材ＭＲの軸方向の概要断面図、（ロ）図は（イ）図における第１ローラ部材ＭＲの矢視Ｍ−Ｍの概要断面図、（ハ）図は（イ）図における２点鎖線部の拡大図を示している。
【００３５】
第１ローラ部材ＭＲは、まず、軸Ａを中心に、磁性材料（例えば、ニッケル、鉄等の板材）からなる発熱領域ａ、ｂ、ｃを備えた円筒状の発熱部材ＢをフランジＣ１とＣ２で両側から固定し、かつ、フランジＣ１とＣ２を軸Ａに固定することにより、軸Ａと発熱部材Ｂが一体的に作動する軸体を構成している。
【００３６】
次に、軸体を内包するように、発熱部材Ｂの外側に内筒Ｄが設けられ、中心部に軸Ａと嵌合する軸受部を有し外側で内筒Ｄを支持するフランジＥ１とＥ２により、内筒Ｄが両側から固定され、内筒Ｄが軸Ａを中心に回転するように構成されている。
【００３７】
そして、内筒Ｄの外側には、軸体の軸芯（軸Ａ）を中心とする同心円上に複数の分割体Ｒ１〜Ｒ４が設けられており、軸方向と平行な方向においてシーソーのように揺動可能で、内筒Ｄと一体的に回転できるローラ部を構成している。
【００３８】
なお、それぞれの部品を固定する手段は、特に限定されるものではないが、分解組立が容易なように、ネジによる固定や羽目合わせによる固定方法が好ましく、必要に応じて接着等の手段を使用することが望ましい。
【００３９】
一つの分割体の形状は、定着ベルト２７と接触する上面側から見ると、軸方向の両側面が、分割体の軸方向の長さの中央部分で一番幅が広く、両側に行くに従って緩やかに湾曲した形状となり、また軸方向と直交する側面から見ると、定着ベルト２７と接触する上面の線は直線で、下部の線は、同様に分割体の軸方向の長さの中央部分で一番幅が広く、両側に行くに従って緩やかに湾曲した形状となっており、分割体の軸方向の長さの内面側のほぼ中央には、分割体を内筒Ｄに揺動可能に係合させる係合突起ＲＨが設けられている。
【００４０】
複数の分割体Ｒ１〜Ｒ４と内筒Ｄとの係合は、２点鎖線の円Ｆで示すように、複数の分割体Ｒ１〜Ｒ４のそれぞれに設けられた係合突起ＲＨの溝部ＲＨ１と、内筒Ｄの外周部に設けられた角穴部ＤＨの中心に設けられたピンＤＨ１とが圧入により係合し、組立てが容易で抜け落ちないようになっている。
【００４１】
また、第１ローラ部材ＭＲは、転写紙サイズ等に応じて発熱領域ａ、ｂ、ｃの何れかを励磁コイルＬＣＬａに対して正対させる位置に固定するために、回転固定装置（図示せず。）により軸Ａを回転させ軸体を固定させた後は、定着ベルト２７を介して複数の分割体Ｒ１〜Ｒ４は内筒Ｄと共に軸Ａを中心に回転できるようになっている。
【００４２】
従って、本実施の形態における誘導加熱定着装置１７は、何らかの原因により定着ベルト２７に偏った負荷が加わった場合に、分割体が係合突起ＲＨを中心に軸Ａの軸方向にシーソーのように揺動するので、定着ベルト２７が傾いて回転して第１ローラ部材ＭＲから外れようとしても、定着ベルト２７の張力により、傾いた側より傾いた側の反対方向に定着ベルト２７を戻そうとする矯正力としての力が大きく作用することになり、結果として、瞬時に正常な位置で定着ベルト２７を回転させるようになるので、定着ベルト２７は外れることなく円滑に回転することができるようになり、常に、安定した定着作動ができるようになっている。
【００４３】
そして、例えば、画像形成装置の制御回路からの定着動作開始の指示により、励磁コイルＬＣＬａに交流電流が通電された時、励磁コイルＬＣＬａに対向する位置に固定された、例えば、第１ローラ部材ＭＲの発熱領域ａが急速に誘導発熱し、直接または内筒Ｄを介して間接的に複数の分割体Ｒ１〜Ｒ４が熱せられ、更に、複数の分割体Ｒ１〜Ｒ４を介して定着ベルト２７が熱せられて、定着ベルト２７を介して張架ローラ１７ｃと加圧ローラ４７ａとの間で形成されるニップ部Ｎで、加圧と加熱とにより、トナー像が記録紙Ｐ上に溶融定着されることになる。
【００４４】
なお、発熱領域ａ、ｂ、ｃの何れかを励磁コイルＬＣＬａに対して正対させる位置に固定する回転固定装置は、例えば、電磁的な駆動装置であるステッピングモータ等で構成し、例えば、画像形成装置の制御回路からの転写紙サイズ情報等により、軸Ａを所定角度だけ回転させて軸体を所定の停止位置で固定ができるようになっている装置が望ましいが、場合によっては、駆動源としてのモータやプランジャー等と歯車装置やクリック装置等と組み合わせた装置であっても良い。
【００４５】
また、本実施の形態において発熱領域は、例えば、Ａ３用紙の縦送りサイズ、Ｂ５用紙の縦送りサイズ、あるいは葉書サイズに対応するように軸方向の幅が変化するａ、ｂ、ｃ３つの領域を設けたが、所定の発熱領域が得られるように、更に円周方向にも幅が変化しても良いし、発熱領域の数も３つに限定されるものではない。
【００４６】
また、同様に、分割体の数もＲ１〜Ｒ４の４つに限定されるものではなく、内筒Ｄとの係合手段も、本実施の形態で示した手段に限定されるものではないことはいうまでもない。
【００４７】
また、誘導加熱定着装置１７の耐久性等を向上させるために、本実施の形態では、分割体Ｒ１〜Ｒ４を内筒を介して回転させ定着ベルト２７と摺動しないようにしたが、熱の伝導効率等を重視した場合等、場合によっては、摺動させるように構成しても良い。
【００４８】
また、第１ローラ部材ＭＲの外側に配置されている励磁コイルＬＣＬａは、誘導電流によって発せられる磁力線（磁束）により第１ローラ部材ＭＲの軸体に設けられた発熱領域ａ、ｂ、ｃの何れかを急速に加熱する加熱部材として機能するものである。そして、励磁コイルＬＣＬａは、コイル支持部材としてのコイルボビンＣＬＢを備え、例えば、フェライトコアやパーマロイ等の磁性部材からなる積層鋼板に表層のチューブＣＢａを被せたリッツ線ＬＰｔからなるコイル線材ＣＬａを適宜に巻回することにより必要な磁束等を発生させるように構成されているものとした。
【００４９】
張架ローラ１７ｃは、例えばゴム硬度が１０Ｈｓ〜４０Ｈｓ（ＪＩＳ、Ａゴム硬度）程度のシリコンゴムの発泡体からなるソフトローラとして構成されたものとした。
【００５０】
無端ベルトである定着ベルト２７は、基体として内径７０〜１２０ｍｍ程度で厚さ２０〜８０μｍ程度の、例えばニッケル電鋳ベルトを用いた金属ベルトや、厚さ４０〜１５０μｍ程度のポリイミドやポリアミド等を用いた耐熱性の樹脂ベルトの外側（外周面）に、厚さ１００〜３００μｍ程度の耐熱性のシリコンゴムを被覆したものに、離型層として表面に厚さ３０〜５０μｍ程度のＰＦＡ（パーフルオロアルコキシ）コーティング加工やチューブを施したものが用いられる。
【００５１】
加圧部材としての加圧ローラ４７ａは、例えばステンレス材を用いた中実の丸棒からなる芯金４７１ａと、該芯金４７１ａの外周に形成され、例えばゴム硬度が１０Ｈｓ〜４０Ｈｓ（ＪＩＳ、Ａゴム硬度）程度のシリコンゴムの発泡体からなるゴムローラ層４７２ｂと、該ゴムローラ層４７２ｂの表面に設けられるＰＦＡ（パーフルオロアルコキシ）チューブを被覆した離型層４７２ｃとからなるソフトローラとして形成される。
【００５２】
加圧ローラ４７ａの芯金４７１ａとしては、例えばステンレスのパイプ材を用いた中空（パイプ状）の丸棒を用いてもよい。またゴムローラ層４７２ｂとしてはゴム硬度が４０Ｈｓ〜８０Ｈｓ（ＪＩＳ、Ａゴム硬度）程度とし、加圧ローラ４７ａをハードローラとしてもよい。
【００５３】
ＴＳ１は第１ローラ部材ＭＲに取り付けられ、第１ローラ部材ＭＲの温度制御を行うための温度検知手段で、例えば接触タイプのサーミスタからなる温度検知素子であり、同様に、ＴＳ２は加圧ローラ４７ａに取付けられた温度検知素子である。温度検知素子ＴＳ１、ＴＳ２としては接触タイプの他に、非接触タイプのものを用い、第１ローラ部材ＭＲや加圧ローラ４７ａの近傍に取り付けることも可能である。
【００５４】
以上により、本発明における誘導加熱定着装置１７に関して説明してきたが、第１のローラ部材が磁性部材を備えた軸体と、軸体を中心に回転する内筒と、無端ベルトの内面と接触するローラ部とで構成され、しかも、ローラ部が、複数の分割体の各々を前記軸体の軸線方向の平行線に対してシーソーのように揺動可能に構成されたので、定着ベルトが傾いても瞬時に復元し、無端ベルトが外れたりすることなく、常に安定した状態で円滑な回転を行い、適切な定着作動ができる誘導加熱定着装置を提供することができるようになった。
【００５５】
また、軸体には、線方向の長さ、及び／又は円周方向の幅が異なる前記磁性部材を軸体の円周方向に複数備えたので、定着する転写材のサイズ等に応じて適切な加熱が行われ安定した定着を行うことができるようになった。
【００５６】
また、回転位置固定手段を備えたことにより、軸体に設けられた複数の前記磁性体が所定の位置で励磁コイル部材に対向できるようにしたので、定着する転写材のサイズ等に応じて適切な加熱が行われ安定した定着を行うことができるようになった。
【００５７】
本実施の形態においては、誘導加熱定着装置１７を備えた画像形成装置を複写機として説明したが、複写機に限らず、プリンタやＦＡＸ等の画像形成装置の定着装置として用いられるものであることはいうまでもない。
【図面の簡単な説明】
【００５８】
【図１】本発明に係る誘導加熱定着装置が用いられた画像形成装置の概要断面図。
【図２】本発明に係る第１のローラ部材を有する誘導加熱定着装置の概要断面図。
【図３】本発明に係る第１のローラ部材を示す概要断面図。
【符号の説明】
【００５９】
１０  感光体ドラム
１１  帯電極
１２  露光装置
１３  現像器
１４  転写分離極
１７  誘導加熱定着装置
１７ａ  加熱ローラ
１７ｃ  張架ローラ
２７  定着ベルト
４７ａ  加圧ローラ
Ａ  軸
Ｂ  発熱部材
ａ，ｂ，ｃ  発熱領域
Ｄ  内筒
Ｒ１〜Ｒ４  分割体
ＣＬＢ  コイルボビン
ＬＣＬａ  励磁コイル
Ｎ  ニップ部
ＭＲ  第１ローラ部材
Ｐ  記録紙
【図１】
2005283983.tif 000003
【図２】
2005283983.tif 000004
【図３】
2005283983.tif 000005